(57)【特許請求の範囲】
【請求項１】
屋外に開口する屋外開口端から外気を、熱交換器を備えて熱交換機能を持つ換気装置にダクトを介して吸込ませ、室内に臨む室内吹出口から室内へ給気する給気系と、室内の空気を前記換気装置に吸込ませ、ダクトを通じて排気口から屋外へ排気する排気系とを有し、前記換気装置は建物の天井裏の空間に設置されて構成される換気システムであって、
前記屋外開口端と前記換気装置との間に接続され、前記屋外開口端と前記換気装置の間の外気の給気経路の一部を内部に構成するボックス構造をさらに有し、
前記ボックス構造は、室内の手が届く位の位置に設けられ、
フィルター枠に保持されて給気を濾過する給気用エアーフィルターが、前記ボックス構造の前記給気経路を横断するように着脱可能に設けられ、
前記ボックス構造に前記排気系の室内吸込口を設け、前記ボックス構造内に前記室内吸込口から前記換気装置へ続く排気経路の一部が構成され、
排気用エアーフィルターが、前記ボックス構造の前記排気経路を横断するように着脱可能に設けられた換気システム。
【請求項２】
屋外に開口する屋外開口端から外気を、ダクトを介して換気装置に吸込ませ、室内に臨む室内吹出口から室内へ給気する給気系を有し、前記換気装置は建物の天井裏の空間に設置されて構成される換気システムの前記屋外開口端と前記換気装置との間に接続され、前記屋外開口端と前記換気装置の間の外気の給気経路の一部を内部に構成するボックス構造と、
前記ボックス構造の内部の給気経路を横断するように着脱可能に設けられ、フィルター枠に保持されて給気を濾過するエアーフィルターと、を有し、
前記ボックス構造は、室内の手が届く位の位置に設けられ、
前記ボックス構造の内部の給気経路は、前記ボックス構造の内部で上下方向に延びるとともに下端が閉塞された二列の経路同士を、少なくとも下端近傍を除いて連結させた下方に凸となるＵ字状に形成され、
前記エアーフィルターは、前記二列の経路同士の連結部分に設けられるフィルター装置。
【請求項３】
請求項２に記載のフィルター装置であって、前記フィルター枠は横方向に抜き差ししてボックス構造から脱着可能であるフィルター装置。
【発明の詳細な説明】
【技術分野】
【０００１】
本発明は、天井裏の空間に設置される換気装置によって給気または給排気により室内の空気を換気する換気システム及び換気システムに適用されるフィルター装置に関するものである。
【背景技術】
【０００２】
給気または給排気によって室内の空気を換気する換気装置には、天井裏の空間に設置されるものがある。こうした換気装置には室内へ供給する空気を浄化するエアーフィルターが設けられているものがある。なお、この種の従来技術は、特許文献１，２に開示されている。
【０００３】
【特許文献１】特開平１０−２８８３７３号公報
【特許文献２】特開２００１−２７２０７４号公報
【発明の開示】
【発明が解決しようとする課題】
【０００４】
従来のこの種の換気装置は、エアーフィルターが換気装置に内蔵されている。そして、換気装置そのものは、天井裏の空間に設置されている。換気装置の設置箇所の天井には、換気装置のメンテナンスのための点検口が設けられ、点検口から換気装置のメンテナンスができるようになっている。清掃等、比較的高頻度のメンテナンスを必要とするエアーフィルターについても、天井の点検口を開けて換気装置から脱着して行うことになる。点検口は、高所にありこれを開閉するのには、脚立等が必要である。脚立での作業は不安定で、なおかつ狭隘な天井裏の空間に設置された換気装置自体の点検口も開閉しなくてはならず、エアーフィルターのメンテナンスは容易ではなく、専門業者に依頼することになりがちである。この煩わしさから、静止型部品であるエアーフィルターのメンテナンスは、ないがしろにされることが多く、塵埃付着により給気風量の低下を招いていることがある。エアーフィルターの汚れは、給気風量の低下のみならず、エアーフィルターに付着した細菌やカビ等を給気流に乗せて室内へばら撒くことにもなり、室内を不衛生な環境にしてしまいかねない。また、給気用のダクト内も長く使っていると汚れが付着する。ダクト内の清掃は特殊作業で、例えば微細なビーズを、高速気流でダクト内を搬送させる方法等が実用化されているが、高価に付き一般にはなかなか普及していない。
【０００５】
本発明は、上記した課題を解決するためになされたものであり、その目的とするところは、エアーフィルターのメンテナンスが手軽に手元において簡単に行うことができる換気システムを提供することであり、ダクトの汚れ難い換気システムを開発することであり、そうしたシステムに適用できる利便性の高いフィルター装置を得ることである。
【課題を解決するための手段】
【０００６】
上記課題を解決するために本発明は、屋外に開口する屋外開口端から外気を、ダクトを介して換気装置に吸込ませ、室内に臨む室内吹出口から室内へ給気する給気系を有し、その換気装置は建物の天井裏の空間に設置されて構成される換気システムについて、その屋外開口端と換気装置の間の外気の給気経路の一部を、ボックス構造内に構成して室内の手が届く位の位置に設け、ボックス構造の給気経路を横断するように、フィルター枠に保持させた給気を濾過するエアーフィルターを着脱可能に設ける手段を採用する。
【発明の効果】
【０００７】
本発明によれば、比較的高頻度のメンテナンスを必要とするエアーフィルターを室内の手の届く所に設置するボックス構造に着脱可能に収納したので、換気装置が天井裏の空間に設置されていても、室内において、容易かつ簡単にエアーフィルターのメンテナンスを行うことができる。従って、給気風量の低下や室内が細菌やカビ等で不衛生な環境に陥りにくくなる。
【発明を実施するための最良の形態】
【０００８】
本発明の換気システムは、屋外に開口する屋外開口端から外気を、ダクトを介して換気装置に吸込ませ、室内に臨む室内吹出口から室内へ給気する給気系を有し、その換気装置は建物の天井裏の空間に設置されて構成されるものである。屋外開口端と換気装置の間の外気の給気経路の一部を、ボックス構造内に構成して室内の手が届く位の壁や床に設け、ボックス構造の給気経路を横断するように、フィルター枠に保持させた、給気を濾過するエアーフィルターを着脱可能に設けている。エアーフィルターは、塵埃除去フィルターや高性能フィルター等、いくつかのフィルターが組合せられてフィルター枠に挟み込まれている。ボックス構造体は、屋外開口端に通じるダクトを接続する接続フランジと、換気装置の吸込口に通じるダクトを接続する接続フランジを天部に並んで備え、これらの接続フランジとダクトとの接続によって、ボックス構造体内の給気経路が繋がり、一連の給気経路が構成される。エアーフィルターを保持したフィルター枠は、ボックス構造体の正面からの横方向での抜き差しによって脱着でき、ボックス構造体内にＵ字状に続く給気経路の一部をフィルター枠の差込みによって横断し、当該部を通過する給気流を濾過して清浄にして換気装置に送る。
【０００９】
本発明の換気システムでは、比較的高頻度のメンテナンスを必要とするエアーフィルターをフィルター枠のボックス構造体からの横方向への抜き差しにより、脱着することができる。横向きの抜き差しでは、エアーフィルターに付着した汚れや埃が作業者に降り掛かることもなく、衛生的にエアーフィルターの脱着ができる。ボックス構造体は、室内の手の届く所の壁や床に設置するため、換気装置が天井裏の空間に設置されていても、高齢者であっても室内において、容易かつ簡単手軽にエアーフィルターのメンテナンスを行うことができる。
【００１０】
実施の形態１．
図１〜図４によって示す本実施の形態は、給気による換気システムに関するものである。図１は、換気システムの構成図、図２は、フィルター装置の化粧扉を開いた状態の斜視図、図３は、フィルター装置の分解斜視図、図４は、断熱構造体の拡大分解斜視図である。
【００１１】
本実施の形態は、屋外に開口する屋外開口端１から外気を、塩ビ管等のダクト２を介して換気装置３に吸込ませ、室内４に臨む室内吹出口から室内４へ給気する給気系を有し、その換気装置３は建物の天井裏の空間に設置されて構成される給気による図１に示すような換気システムに関するものである。換気装置３は、給気送風機５を箱型の消音ボックス内に収込んで構成されている。給気経路の屋外開口端１には防蝶ネットの張設されたウエザーカバー６が装着され、ウエザーカバー６と換気装置３の間の給気経路の一部が箱型のボックス構造体７内に構成されている。屋外開口端１に続くダクト２の給気経路は、他の部分より局部的に断面積が広く構成され、この部分の流速は低く抑えられる。ボックス構造体７は、室内４の手が届く位の位置の壁や床に設置されている。ボックス構造体７内の給気経路を横断するように、フィルター枠８に保持させた、給気を濾過するエアーフィルター９が着脱可能に設けられ、フィルター装置１０が構成されている。エアーフィルター９は、塵埃除去フィルターや高性能フィルター等、いくつかのフィルターが組合せられてフィルター枠８に挟み込まれている。
【００１２】
フィルター装置１０の外郭を構成するボックス構造体７は、屋外開口端１に通じるダクト２を接続する接続フランジ１１と、換気装置３の吸込口に通じるダクト２を接続する接続フランジ１１を天部に左右対称位置に並んで備え、これらの接続フランジ１１とダクト２との接続によって、ボックス構造体７内の給気経路が繋がり、一連の給気経路が構成される。ボックス構造体７内の給気経路は、例えば発泡スチロール等の断熱構造体１２で構成されている。断熱構造体１２は、前後二分割に構成され、前要素１３と後要素１４が印籠結合されて断熱構造体１２となっている（図４参照）。
【００１３】
断熱構造体１２には上下方向に続く二列の下端の閉塞した経路が形成され、二列の経路の隔壁が下端を除いて開放されて連続したＵ字状の給気経路となっている。この給気経路の下端は窪みＵトラップ状の保水構造１５が形成されている。二列の経路の上端は、それぞれ接続フランジ１１に連絡している。断熱構造体１２の前要素１３には、開放した隔壁部分に対応する前面にフィルター枠８の厚みより広い間口の開口部１６が開けられている。そして、開放した隔壁の壁面にはフィルター枠８を保持するフィルター枠８の厚み程度の溝１７が形成され、開口部１６はこの溝１７に対応する凸部を上下に有する変形方形になっている。断熱構造体１２を収めたボックス構造体７の前面には開口部１６に対応する開口部１８が開けられ、着脱可能のメンテナンスカバー１９で前部が被覆されている。メンテナンスカバー１９にはフィルター枠８の厚みに略対応する幅のフィルター装着開口部２０が開けられている。メンテナンスカバー１９の下縁には汚れ受け２１が蝶着され、フィルター枠８を開口部１８に差し込んだ状態では、起立させてメンテナンスカバー１９に沿う形態に、フィルター枠８を抜き取る時には倒伏させて受皿状に前方に呈出する形態にすることができる（図２，図３参照）。
【００１４】
フィルター枠８は、樹脂製でセルフヒンジにより開閉できる枠部とメンテナンスカバー１９のフィルター装着開口部２０より平面積の広い蓋板２２を備えた一体成型物であり、枠部にエアーフィルター９を挟持させることができる。フィルター枠８を装着したボックス構造体７の前面は、開閉可能に蝶着された化粧扉２３によって被覆される。フィルター枠８はボックス構造体７の正面からの横方向での抜き差しによって脱着でき、ボックス構造体７内にＵ字状に続く給気経路の一部をフィルター枠８の差し込みによって、挟持したエアーフィルター９が横断し、当該部を通過する給気流を濾過して清浄にして換気装置３に送る。なお、ボックス構造体７内の給気経路は、ボックス構造体７内を横断する形態にしても、縦断する形態しても構わない。また、ダクト２は、断熱材が設けられた断熱ダクトで構成され、室内に露出する箇所は、これらを被覆する化粧カバーで覆われている。
【００１５】
この換気システムでは、比較的高頻度のメンテナンスを必要とするエアーフィルター９をフィルター枠８のボックス構造体７からの横方向への抜き差しにより、脱着することができる。横向きの抜き差しでは、エアーフィルター９に付着した汚れや埃が作業者に降り掛かることもなく、衛生的にエアーフィルター９の脱着ができる。フィルター枠８の抜き取り時にエアーフィルター９から落ちる汚れや埃は、汚れ受け２１のメンテナンスカバー１９からの倒伏によって、汚れ受け２１に受容されるため室内を汚さない。ボックス構造体７は、室内の手の届く所の壁や床に設置するため、換気装置３が天井裏の空間に設置されていても、室内において、容易かつ簡単手軽にエアーフィルター９のメンテナンスを行うことができる。屋外開口端１から給気とともに吸込まれた霧や雪による水は、ボックス構造体７内の給気経路の保水構造１５に溜まり、送風に晒されることにより蒸発する。ボックス構造体７内の清掃は、フィルター枠８を引抜き、メンテナンスカバー１９を外すことにより断熱構造体１２の開口部１６が広く開口するため、掃除機の吸込み口を挿入して内部の汚れを吸取ったり、ダスターによって拭取ったりすることができる。
【００１６】
屋外開口端１付近の吸込み流速が低く抑えられているため、塵埃や虫、霧雨等も吸込みにくく、ダクト２内の汚れも低減し、面倒なダクト清掃は殆どしなくても済む。例えば、給気風量を１５０ｍ３／ｈとした場合、ダクト２内の風速は、ダクト内径がФ１００の場合には、５．３ｍ／Ｓ程度になる。一方、ダクト内径がФ１５０の場合は、２．４ｍ／Ｓ程度ですむ。一般的に風速が３ｍ／Ｓ以上になると、虫等を吸込み易くなり、これ以下だと虫、霧雨、雪等を吸込みにくくなる。
【００１７】
実施の形態２．
図５〜図７によって示す本実施の形態は、給排気による換気を行う換気装置で構成した換気システムに関するものであり、給気に係る構成は、基本的に実施の形態１のものと同じである。従って、実施の形態１と同じ部分については、同じ符号を用いそれらについての説明は省略する。図５は、換気システムの構成図、図６はフィルター装置の斜視図、図７は、他の換気システムのシステム構成図である。
【００１８】
本実施の形態の換気システムは、図５に示すように天井裏の空間に設置する換気装置３が給排気式で、給気系とともに排気系を備えている。フィルター装置１０は、図６に示すように実施の形態１で示した構造が二連構成されている。排気側のフィルター装置１０は、エアーフィルターに脱臭フィルター２４が用いられ、排気とともに排出される臭気が近隣に迷惑とならないように配慮されている。排気系は、室内の空気を換気装置３に吸込ませ、ダクト２を通じて排気口２５から屋外へ排気するものである。排気口２５と換気装置３の間の排気経路の一部を内部に構成するボックス構造体７の排気経路にこれを横断するように、フィルター枠８に保持させた脱臭フィルター２４が着脱可能に設けられている。これ以外は、実施の形態１と同じである。ただし、ダクト２は断熱ダクトでなく通常のもので良く、流速を出口付近で落とす必要もない。
【００１９】
この種の換気装置３では、図７に示すように給排気流間で連続的な熱交換をする熱交換器２６を持つものが多い。こうした換気装置３では熱交換器２６の排気流路の入口に塵埃除去フィルターが装着される。また、排気送風機２７への吸込口にもフィルターが設けられている。これを図７に示すようにボックス構造体７に排気系の室内吸込口２８を設け、排気経路を構成して換気装置３の排気送風機２７の吸込口にダクト２で接続する構成とし、ボックス構造体７の排気経路に塵埃除去フィルター２９を着脱可能に設けることにより、換気装置３の熱交換器２６を除く静止型機能部品を全て、簡単に手元近くでメンテナンスできるフィルター装置１０に集合させることができる。
【図面の簡単な説明】
【００２０】
【図１】換気システムの構成図である。（実施の形態１）
【図２】フィルター装置の化粧扉を開いた状態の斜視図である。（実施の形態１）
【図３】フィルター装置の分解斜視図である。（実施の形態１）
【図４】断熱構造体の拡大分解斜視図である。（実施の形態１）
【図５】換気システムの構成図である。（実施の形態２）
【図６】フィルター装置の斜視図である。（実施の形態２）
【図７】他の換気システムのシステム構成図である。（実施の形態２）
【符号の説明】
【００２１】
１  屋外開口端、  ２  ダクト、  ３  換気装置、  ７  ボックス構造体、  ８  フィルター枠、  ９  エアーフィルター、  １０  フィルター装置、  １５  保水構造、  ２５  排気口、  ２６  熱交換器、  ２８  室内吸込口。
【図１】
0004717641.tif 000002
【図２】
0004717641.tif 000003
【図３】
0004717641.tif 000004
【図４】
0004717641.tif 000005
【図５】
0004717641.tif 000006
【図６】
0004717641.tif 000007
【図７】
0004717641.tif 000008